(57)【要約】【課題】装飾的な効果や気力の充実、安らぎを与えてくれると共に、球状石が離脱しても自動的に復元が可能であり、且つ、落下の虞のない、噴水を用いた簡便な球状石回転装置を提供する。【解決手段】上端開放の器体２と、中央部に貫通孔３が開穿された平板４と脚部５とから成り、器体２内に収納されるプレート台６と、平板４下方に設置されるポンプ７と、中央部に通水孔８が開穿され、上面９がロート状に傾斜し、上面中央部近傍に凹球面部１０がその中心位置を通水孔８から若干ずらして形成され、貫通孔３と通水孔８とを位置合わせしてプレート台６上に載置される基盤石１１とを備え、更に、ポンプ７と通水孔８とを連通させる連通管１２と、凹球面部１０に載置される球状石の天球１３と、天球１３を照射するランプ１４と、プレート台６上の基盤石１１周りに載置されるさざれ石１５とを備える噴水を用いた球状石回転装置１を提供する。【選択図】図２
0003163923.tif 000002
【実用新案登録請求の範囲】
【請求項１】
上端開放の器体と、
中央部に貫通孔が開穿された平板と脚部とから成り、前記器体内に収納されるプレート台と、
前記プレート台の平板下方に設置されるポンプと、
中央部に上下方向に通水孔が開穿され、上面が中央部下方に向かってロート状に傾斜する如く形成され、上面中央部近傍に凹球面部がその中心位置を前記通水孔の中心位置から若干ずらして形成され、前記貫通孔と前記通水孔とを位置合わせして前記プレート台上に載置される基盤石と、
前記ポンプの吐出口と、前記基盤石の通水孔とを前記平板の貫通孔を介して連通させる連通管と、
平面視、前記基盤石よりも小さい球状石から成り、前記凹球面部に載置される天球と、
前記連通管内に配設され、前記天球を下方から照射するランプと、
前記プレート台上の前記基盤石周りに載置される複数個のさざれ石とを備え、
前記ポンプの吐出口から噴射する水が、前記連通管及び前記通水孔を介して、前記凹球面部に載置される前記天球を浮かせて回転させると共に、前記ランプにより前記天球を下方から照射するように構成されたことを特徴とする噴水を用いた球状石回転装置。
【請求項２】
前記凹球面部がその中心位置を前記通水孔の中心位置から若干ずらして形成されることに代えて、前記凹球面部がその中心位置を前記通水孔の中心位置に位置合わせして形成され、前記ポンプの吐出口から噴射する水が、前記凹球面部に載置される前記天球を浮かせて回転させることに代えて、前記ポンプの吐出口から噴射する水が、前記凹球面部に載置される前記天球を浮かせるように構成されたことを特徴とする請求項１記載の噴水を用いた球状石回転装置。
【考案の詳細な説明】
【技術分野】
【０００１】
本考案は、噴水を用いて球状石を回転させる、噴水を用いた球状石回転装置に関するものである。
【背景技術】
【０００２】
此種、噴水を用いた球状石回転装置は、噴水を用いて水晶等の天然石等から成る球状石を回転させることにより、装飾的な効果を与えてくれると共に、「気の充実」と「安らぎ」を与えてくれるものとして利用されている。
「気の充実」と「安らぎ」とは、「風水」に基づく考え方である。「風水」は、古代中国の思想で、都市、住居、建物、墓などの位置の吉凶禍福を決定するために用いられてきた、気の流れを物の位置で制御する思想である。「風水」に於いて、「気の充実」とは、やる気に満ちて、気力が充実していることを言い、「気」とは、例えば、誰の体の中にも宿っている、われわれが生まれながらに持っている根源的な力である。
又、「風水」に於いて、水晶は、記憶力、集中力、注意力、観察力などを支え、眠っている潜在能力を引き出し、夢を実現させてくれる石として知られている。
【０００３】
更に、「風水」によると、風水的に良い場所を探す時、尋龍点穴と呼ばれる方法で気の旺盛な地を探し出すことが行われる。
尋龍点穴とは、「龍が尋ねるところの生気の象徴である泉」を現している。
古来より、そのような場所で生活をすることで健康や財運に恵まれ幸せを掴むことができると信じられてきた。
そこで、噴水を用いた球状石回転装置は、「風水」に於ける「気の旺盛な土地に湧き出る泉」を象徴するアイテムとして用いられるものであるが、「風水」に限定されることなく、「風水」を信じない人にとっても、気力の充実や安らぎを与えてくれるものである。
【０００４】
此種技術の先行文献としては、例えば特許文献１が存在する。特許文献１には、水晶球を受け台の上面の半球面に球動可能に支持し、この下面にポンプで噴水を与えると共に下面を光源により照明する水晶玉健康器が記載されている。
又、水晶ではないが、噴水を用いた球状体回転装置も知られており、この噴水を用いた球状体回転装置は、例えば、公園、庭、池、人が多く集まる場所等に置く比較的大型の飾り物として利用されている（例えば、特許文献２参照）。
【先行技術文献】
【特許文献】
【０００５】
【特許文献１】実用新案登録第３１０４１５７号公報
【特許文献２】特公平７−２２７２８号公報
【考案の概要】
【考案が解決しようとする課題】
【０００６】
前述した特許文献１の水晶玉健康器は、室内等に置ける比較的小型のものとして、誰でも簡単に利用できる利便性があり、装飾的な効果や、「気の充実」と「安らぎ」を与えてくれる効果が有る程度期待できるものである。
然しながら、特許文献１は、細い受け台の上面の半球面上に水晶玉を支持する構成であるため、構成上及び外観的に不安定であり、装飾的な効果や、「安らぎ」を与えてくれる効果が充分ではなく、又、水晶玉が半球面から離脱しやすく、半球面から離脱すると、自動的な復元が困難であり、更に、落下して破損する虞があるという問題がある。
【０００７】
以上の現状に鑑み、本考案は、装飾的な効果を与えてくれると共に、気力の充実や安らぎを与えてくれると共に、球状石が離脱しても自動的に復元が可能であり、且つ、落下の虞のない、噴水を用いた簡便な球状石回転装置を提供することを目的とする。
【課題を解決するための手段】
【０００８】
上記の課題を解決すべく、本考案は以下の構成を提供する。
請求項１に係る考案は、上端開放の器体と、
中央部に貫通孔が開穿された平板と脚部とから成り、前記器体内に収納されるプレート台と、
前記プレート台の平板下方に設置されるポンプと、
中央部に上下方向に通水孔が開穿され、上面が中央部下方に向かってロート状に傾斜する如く形成され、上面中央部近傍に凹球面部がその中心位置を前記通水孔の中心位置から若干ずらして形成され、前記貫通孔と前記通水孔とを位置合わせして前記プレート台上に載置される基盤石と、
前記ポンプの吐出口と、前記基盤石の通水孔とを前記平板の貫通孔を介して連通させる連通管と、
平面視、前記基盤石よりも小さい球状石から成り、前記凹球面部に載置される天球と、
前記連通管内に配設され、前記天球を下方から照射するランプと、
前記プレート台上の前記基盤石周りに載置される複数個のさざれ石とを備え、
前記ポンプの吐出口から噴射する水が、前記連通管及び前記通水孔を介して、前記凹球面部に載置される前記天球を浮かせて回転させると共に、前記ランプにより前記天球を下方から照射するように構成されたことを特徴とする噴水を用いた球状石回転装置を提供するものである。
【０００９】
請求項２に係る考案は、前記凹球面部がその中心位置を前記通水孔の中心位置から若干ずらして形成されることに代えて、前記凹球面部がその中心位置を前記通水孔の中心位置に位置合わせして形成され、前記ポンプの吐出口から噴射する水が、前記凹球面部に載置される前記天球を浮かせて回転させることに代えて、前記ポンプの吐出口から噴射する水が、前記凹球面部に載置される前記天球を浮かせるように構成されたことを特徴とする請求項１記載の噴水を用いた球状石回転装置を提供するものである。
【考案の効果】
【００１０】
本考案の請求項１記載の考案によれば、装飾的な効果を与えてくれると共に、気力の充実や安らぎを与えてくれると共に、球状石が離脱しても自動的に復元が可能であり、且つ、落下の虞のない、噴水を用いた簡便な球状石回転装置を提供することができる。
【００１１】
請求項２記載の考案によれば、前記請求項１記載の考案の効果に加え、天球の動きが少ない又は殆どない、静かな、或いは、落ち着きのある噴水を用いた球状石回転装置を提供することができる。
【図面の簡単な説明】
【００１２】
【図１】本考案による噴水を用いた球状石回転装置を概略的に示す正面断面図である。
【図２】本考案による噴水を用いた球状石回転装置の作用を示す正面断面図である。
【図３】本考案による噴水を用いた球状石回転装置の基盤石の凹球面部の中心位置と通水孔の中心位置とがずれている状態を説明する一部拡大正面断面図である。
【図４】本考案による噴水を用いた球状石回転装置の基盤石の凹球面部の中心位置と通水孔の中心位置とが位置合わせされている状態を説明する一部拡大正面断面図である。
【考案を実施するための形態】
【００１３】
以下、実施例を示した図面を参照しつつ本考案の実施の形態を説明する。
図１に於いて、１は、本考案の噴水を用いた球状石回転装置であり、噴水を用いた球状石回転装置１は、上端開放の器体２と、中央部に貫通孔３が開穿された平板４と脚部５とから成り、器体２内に収納されるプレート台６と、プレート台６の平板４下方に設置されるポンプ７と、中央部に上下方向に通水孔８が開穿され、上面９が中央部下方に向かってロート状に傾斜する如く形成され、図３に示す如く、上面９中央部近傍に凹球面部１０がその中心位置を通水孔８の中心位置から若干ずらして（ずれｓで示す）形成され、貫通孔３と通水孔８とを位置合わせしてプレート台６上に載置される基盤石１１とを備える。
更に、前記噴水を用いた球状石回転装置１は、ポンプ７の吐出口７ａと、基盤石１１の通水孔８とを平板４の貫通孔３を介して連通させる連通管１２と、平面視、基盤石１１よりも小さい球状石から成り、凹球面部１０に載置される天球１３と、連通管１２内に配設され、天球１３を下方から照射するランプ１４と、プレート台６上の基盤石１１周りに載置される複数個のさざれ石１５，１５…とを備える。
【００１４】
前記器体２は、例えばセラミックウェア等の陶器の器を用いる。
前記プレート台６は、例えばプラスチックで形成され、平板４には、水を通過させる複数の貫通孔（図示せず）が開穿される。
前記ポンプ７は、導線３１によりＡＣアダプター３２及びプラグ３３等を介して電源（図示せず）に接続される。
前記凹球面部１０は、天球１３を載置できるように、天球１３と略同じ又は天球１３よりもやや大きな球径の凹球面に形成されている。
前記基盤石１１は、天然石で形成されたものであり、例えば、略切頭円錐状に形成される。
前記連通管１２は、例えばビニールチューブで形成される。
前記天球１３は、例えば、水晶、アベンチュリン、ローズクォーツ、フローライト、カルサイト等の天然石等を球状体に形成したものである。但し、天然石等に限定されるものではなく、他の物質から成る球状体を用いることも可能である。
前記ランプ１４は、例えばＬＥＤランプであり、導線３４により図示省略のＡＣアダプター及びプラグ等を介して電源に接続される。
前記さざれ石１５は、透明又は半透明の水晶又はその他の天然石、人工石或いは加工石である。
【００１５】
而して、次に前記噴水を用いた球状石回転装置１を組み立てる手順を説明する。
まず、連通管１２内にランプ１４を差し込み、連通管１２の一端をポンプ７の吐出口７ａに接続する。
そして、ポンプ７を器体２の内底部上に吸盤（図示せず）等を介して取り付ける。
ポンプ７がプレート台６の中央下になるようにしてプレート台６を器体２内に取り付け、連通管１２をプレート台６の貫通孔３を通して基盤石１１の通水孔８に差し込み、貫通孔３と通水孔８とを位置合わせしてプレート台６の上に基盤石１１を載置する。
次に、プレート台６の平板４の基盤石１１周りに複数個のさざれ石１５，１５…を載置する。
そして、基盤石１１の凹球面部１０に天球１３を載せると噴水を用いた球状石回転装置１の組み立てが完了する。
【００１６】
次に、組み立てた噴水を用いた球状石回転装置１の使用方法について説明する。
図２に示すように、噴水を用いた球状石回転装置１を平らなところに設置し、ポンプ７が隠れる程度に器体２内に水を注ぎ込み、ポンプ７とランプ１４の電源を投入する。
すると、ポンプ７の吐出口７ａから噴射する水が、連通管１２及び通水孔８を介して、凹球面部１０に載置される天球１３に下方から噴射され、天球１３を浮かせると共に、回転させ、一方、ランプ１４により天球１３を下方から照射する。
尚、天球１３を載置する凹球面部１０がその中心位置を通水孔８の中心位置から若干ずらして（ずれｓ）形成されていることにより、通水孔８の中心位置と、天球１３の中心位置がずれ、天球１３は、中心位置から若干ずれた（ずれｓ）位置に噴射を受けることになり、天球１３が回転する。
【００１７】
これにより、噴水により浮いた天球１３は、回転しながら、噴水と共に、ランプ１４により照射されて幻想的な装飾効果が得られると共に、気持ちの充実感や安らぎを与えてくれる。
又、天球１３は平面視で天球１３よりも大きな基盤石１１に保持されていることから、安定した構成となり、更に、安定した装飾的な効果を与えてくれると共に、気持ちの充実感や安らぎを与えてくれる。
そして、天球１３は、前述したように、ポンプ７の吐出口７ａから水が噴射すると、凹球面部１０の上方に浮いたまま回転を維持するが、水の噴射が変化したり、噴射が強くなる等の原因で、万が一、天球１３が凹球面部１０の上方から外れて基盤石１１の上面９側に離脱した場合は、基盤石１１の上面９が中央部下方に向かってロート状に傾斜する如く形成されているので、天球１３が傾斜する上面９を転動して凹球面部１０に自動的に戻ることができ、天球１３の落下を防止することができる。
【００１８】
又、前記基盤石１１は、凹球面部１０がその中心位置を通水孔８の中心位置から若干ずらして（ずれｓ）形成されるが、それに代えて、図４に示す如く、凹球面部１０がその中心位置を通水孔８の中心位置に位置合わせして形成されても良い。
その場合、ポンプ７の吐出口から噴射する水が、凹球面部１０に載置される天球１３を浮かせるが、天球１３は回転しない、或いは殆ど回転しない、又は、動かない状態となる。
これにより、静かな、落ち着きのある、或いは、更に「安らぎ」を与えてくれる、噴水を用いた球状石回転装置を得ることができる。
【符号の説明】
【００１９】
１  噴水を用いた球状石回転装置
２  器体
３  貫通孔
４  平板
５  脚部
６  プレート台
７  ポンプ
７ａ  吐出口
８  通水孔
９  上面
１０  凹球面部
１１  基盤石
１２  連通管
１３  天球
１４  ランプ
１５  さざれ石
【図１】
0003163923.tif 000003
【図２】
0003163923.tif 000004
【図３】
0003163923.tif 000005
【図４】
0003163923.tif 000006